(57)【要約】【課題】  薄型化を図り、かつ振動板の駆動力を向上させ、サブウーハとしても使用可能なスピーカを提供する。【解決手段】  板状のフレーム１と、このフレーム１の背面側に設けられ正面視形状が細長く、ほぼ円錐形状をなし、ダンパ４によって支持された振動板５と、この振動板５の前面側に設けられ、前記フレーム１の背面側に取り付けられた複数個の磁気回路９と、これらの磁気回路９の磁気ギャップ部分に配置され、前記振動板５の長さ方向に設けられた複数個のボイスコイル８とを備えてなる構成とした。【選択図】    図１
2006129106.tif 000002
【特許請求の範囲】
【請求項１】
板状のフレーム（１）と、このフレーム（１）の背面側に設けられ、正面視形状が細長く、ほぼ円錐形状をなし、ダンパ（４）によって支持された振動板（５）と、この振動板（５）の前面側に設けられ、前記フレーム（１）の背面側に取り付けられた複数個の磁気回路（９）と、これらの磁気回路（９）の磁気ギャップ部分に配置され、前記振動板（５）の長さ方向に設けられた複数個のボイスコイル（８）とを備えてなることを特徴とするスピーカ。
【請求項２】
コルゲーションが形成されたダンパ本体（４ａ）の正面視形状は前記振動板（５）の正面視形状とほぼ対応して細長い形状をなし、その内周部は、複数個のボイスコイル（８）によって駆動される前記振動板（５）のほぼ円錐状をなす振動板本体（５ｂ）の内周側背面に取り付けられ、かつ前記ダンパ本体（４ａ）の外周部は前方に向って延びる立ち上がり部（４ｂ）が形成され、前記振動板（５）の外周部は、前記立ち上がり部（４ｂ）の前端部と、前記フレーム（１）の外周部に形成された第１の凹部（１ｃ）内に前端部（２ａ）が収納され取り付けられたガスケット（２）の後端部（２ｂ）とによって挟持・支持されたことを特徴とする請求項１記載のスピーカ。
【請求項３】
前記振動板本体（５ｂ）の内周部側を、振動板振動時に前記磁気回路（９）のヨーク周壁後端部との接触を避けるテーパ状または平坦形状の逃げ部を形成したことを特徴とする請求項１記載のスピーカ。
【発明の詳細な説明】
【技術分野】
【０００１】
本発明は薄型のスピーカに関する。
【背景技術】
【０００２】
薄型化された装置にスピーカを組み込む場合、このスピーカにも薄型のものが要求される。特に、この装置が液晶パネルなどを用いた薄型テレビジョンである場合、薄型テレビジョンの厚さも必然的に薄くなる。こうした薄型の装置にスピーカを組み込む場合、特に厚みの薄いスピーカが必要である。こうした薄型のスピーカとして、振動板の前面側に磁気回路を配置した構造のものがある（特許文献１）。
【特許文献１】特開昭６２−１３６１９６号公報
【発明の開示】
【発明が解決しようとする課題】
【０００３】
従来のスピーカには、次の課題がある。すなわち、特許文献１に記載されたスピーカでは、図７に示すように、第１のフレーム１０１を振動板１１０の前面側に設け、この第１のフレーム１０１に磁気回路１２０を取り付けている。また、振動板１１０の後面側に凹状をなす別体の第２のフレーム１０２を設け、この第２のフレーム１０２にダンパ１３０を取り付けている。そして、第２のフレーム１０２を第１のフレーム１０１に固定している。また、従来のスピーカでは、ボイスコイル１４０に振動板１１０とダンパ１３０とを取り付けている。
【０００４】
こうした構造により、従来のスピーカでは、振動板１１０の振幅による振動板１１０と磁気回路１２０のヨーク１２１との接触を避けるために、距離ａを大きくする必要がある。また、ボイスコイル１４０に振動板１１０とダンパ１３０とを固定するために、厚みｂが必要になる。したがって、従来のスピーカでは、距離ａを大きくし、また厚みｂが必要であるので、これらの分だけスピーカが厚くなってしまう。
【０００５】
また、従来のスピーカには、２つのフレーム（第１および第２のフレーム１０１、１０２）が必要であり、部品点数が多く、製造工程が複雑になる。さらに、従来のスピーカでは、ターミナル１５０を第２のフレーム１０２の側面に取り付けているため、ダンパ１３０が接近しているが、スピーカの薄型化のためにターミナル１５０を伸ばすことができず、半田付けの製造工程が容易ではない。
【０００６】
この欠点を解決すべく、薄型化を図り、部品点数を減らし、かつ製造工程を簡単化したスピーカが、先に本願出願人によって特願２００４−１６４５４２として提出された。
【０００７】
このスピーカは、ダンパを振動板に取り付け、振動板にボイスコイルを取り付け、ボイスコイルに対するダンパの取り付け分だけ、スピーカの形状を薄型にしている。また、ダンパに立ち上がり部を設け、この立ち上がり部を、ガスケットを介してフレームに取り付け、従来の２つのフレームを一つにし、部品点数を減らしている。さらに、ヨークの先端に対向する振動板の部分に振動板振動時にヨークと接触しないよう逃げ部分を設け、振幅距離と再生帯域とを確保しながら、スピーカを薄型にしている。
【０００８】
しかしながら、このスピーカは振動板の中央部に設けた一つの磁気回路によって振動板を駆動する構成であるため、サブウーハとして用いるには駆動力が弱く不向きであるなどの課題がある。
【０００９】
この発明は上記のことに鑑み提案されたもので、その目的とするところは、薄型化を図ったことに加え、振動板の駆動力を高め、サブウーハとしても利用可能とした高耐入力型のスピーカを提供することを目的とするものである。
【課題を解決するための手段】
【００１０】
前記課題を解決するために請求項１の発明は、板状のフレーム１と、このフレーム１の背面側に設けられ、正面視形状が細長く、ほぼ円錐形状をなし、ダンパ４によって支持された振動板５と、この振動板５の前面側に設けられ、前記フレーム１の背面側に取り付けられた複数個の磁気回路９と、これらの磁気回路９の磁気ギャップ部分に配置され、前記振動板５の長さ方向に設けられた複数個のボイスコイル８とを備えた構成としている。
請求項２の発明は、請求項１記載のスピーカにおいて、コルゲーションが形成されたダンパ本体４ａの正面視形状は前記振動板５の正面視形状とほぼ対応して細長い形状をなし、その内周部は、複数個のボイスコイル８によって駆動される前記振動板５のほぼ円錐状をなす振動板本体５ｂの内周側背面に取り付けられ、かつ前記ダンパ本体４ａの外周部は前方に向って延びる立ち上がり部４ｂが形成され、前記振動板５の外周部は、前記立ち上がり部４ｂの前端部と、前記フレーム１の外周部に形成された第１の凹部１ｃ内に前端部２ａが収納され取り付けられたガスケット２の後端部２ｂとによって挟持・支持したことを特徴としている。
請求項３の発明は、請求項１記載のスピーカにおいて、前記振動板本体５ｂの内周部側を、振動板振動時に前記磁気回路９のヨーク周壁後端部との接触を避けるテーパ状または平坦形状の逃げ部を形成したことを特徴とする。
【発明の効果】
【００１１】
本発明によれば、フレーム１を板状のもの一つにし、かつダンパ４を振動板５に取り付け、振動板５にボイスコイル８を設け、ボイスコイル８に対するダンパ４の取り付け分だけ、スピーカの形状を薄型にしている。また、振動板本体５ｂの内周部のヨーク周壁対向部分をテーパ状または平坦状の逃げ部を形成し、振幅距離と再生帯域を確保しながら薄型を実現している。さらに、ダンパ４に立ち上がり部４ｂを設け、この立ち上がり部４ｂを、ガスケット２を介してフレーム１に接続するようにし、特許文献１に示される従来の別体のフレームを不要にし、その分、部品点数を削減している。
【００１２】
また、振動板５の長さ方向に駆動用の複数個のボイスコイル８を設けたため、十分な駆動力を得ることができ、これによって振動板５を駆動できるため、音圧（ＳＰＬ）を高くすることができる。
【００１３】
また、最低共振周波数（Ｑ）を低くできるため、サブウーハとして使用可能である。
【００１４】
また、ボイスコイル８を複数としたため、一つのボイスコイル８にかかるエネルギー（熱）が分散して軽減されるため、高耐入力化ができる。
【００１５】
また、通常の複数の磁気回路を有するスピーカ（ツインドライブ）はダンパもそれに対応して複数設けられているが、本発明ではダンパ４を一つとしたため、今までのツインドライブタイプで複数設けられていたダンパの変位のバラツキによる動作不良がなく、また、生産工程も簡単になるため、安定した生産が可能である。
【発明を実施するための最良の形態】
【００１６】
以下、図面に沿って本発明の実施例を説明する。
【００１７】
［実施の形態１］
図１は本発明にかかるスピーカの一実施例の側断面図、図２は同上スピーカの正面図、図３は平面図、図４は図３中Ａ−Ａ線断面図、図５はＢ−Ｂ線断面図を示す。
【００１８】
これらの図中１はほぼ板状のフレームで、このフレーム１は、図２の正面図に示すように、外形は横長の長方形状をなし、四隅に取付孔１ａが形成され、また、適形状の音孔１ｂが複数形成されている。背面外周部には、図１，図４および図５に示すように、第１の凹部１ｃが形成されている。
【００１９】
この第１の凹部１ｃは、図２に示すように、長円形、トラック形状またはほぼ矩形等の細長い形状に形成され、この第１の凹部１ｃには、図１，図４および図５に示すように、前面から見ると同形状をなす細長い筒状のガスケット２の前端部２ａが収納され、その前端部２ａが取り付けられている。
【００２０】
ガスケット２の後端部２ｂにはエッジ３の外周部、ダンパ４の外周に形成された折曲部４ｃが接着剤を介し取り付けられ、エッジ３の内周部には振動板５の外周部５ａが取り付けられている。
【００２１】
振動板５は正面から見るとその外形は長円形、トラック形状またはほぼ矩形等の細長い形状をなし、かつ図１に示すように、ほぼ円錐状をなす振動板本体５ｂを有し、その内周部は後方に向ってほぼテーパをなす首部５ｃが形成され、かつ振動板５の底部５ｄは平坦となっている。
【００２２】
なお、前記ダンパ４のコルゲーションが形成されたダンパ本体４ａの平面形状は、図３に示すように振動板５の正面視形状にほぼ対応した形状に形成され、かつダンパ４の外周縁には前方に向って延びる立ち上がり部４ｂが形成され、この立ち上がり部４ｂの外周縁はＬ字状に折曲され、その折曲部４ｃがガスケット２の後端部２ｂ側に対向し、ダンパ４の内周部は、ほぼ円錐状をなす振動板本体５ｂの内周部側背面に取り付けられ、エッジ３の外周部はダンパ４の折曲部４ｃとガスケット２の後端部２ｂ間に挟持・支持されている。
【００２３】
このようにして本発明においては、立体形状をなすダンパ４が振動板５を包持している構成となっている。
【００２４】
振動板５の底部には図１に示すように、振動板５の長さ方向に沿って第１、第２のボイスコイル取付穴５ｅが形成され、これらの取付穴５ｅに円筒状をなす第１、第２のボイスコイルボビン６の外周部が接着剤を介しそれぞれ取り付けられ、振動板５の底部５ｄから背面側に突出した第１、第２のボイスコイルボビン６の後端部には薄い円板状の防塵キャップ７が取り付けられている。
【００２５】
第１、第２のボイスコイルボビン６の前方外周部には、図１に示すように、第１、第２のボイスコイル８が設けられ、各ボイスコイル８はそれぞれ第１、第２の磁気回路９の磁気ギャップに配設されている。
【００２６】
各磁気回路９は、有底円筒状のヨーク１０と、このヨーク１０内に設けられた短円柱状のマグネット１１と、このマグネット１１の背面上に設けられた円板状のポール１２とを備え、ポール１２の外周面と、これと対向する筒状をなすヨーク周壁１０ｂの内周面間に磁気ギャップが形成され、この部分にボイスコイル８が配設されている。
【００２７】
ヨーク１０の前面側の底部１０ａの外周は、板状のフレーム１の背面中央部に形成された位置決め兼取り付け固定用の凹部１ｄ内に位置され、かつヨーク底部１０ａの中央部はフレーム１の前面側から螺入された取付ネジ１３が螺設され、これによって複数個の磁気回路９がフレーム１に固定されている。なお、取付ネジ１３の頭部１３ａはフレーム１の前面側に形成された凹部１ｅ内に位置し、頭部１３ａの出張りを吸収し、薄型化を図っている。
【００２８】
このように本発明では、スピーカを薄型にするために、まず、フレーム１を一部材とし、かつこのフレーム１をほぼ平坦な板状にし、その背面にガスケット２の前端部２ａを収納して取り付けるための第１の凹部１ｃを形成し、ガスケット２の寸法の一部を第１の凹部１ｃによって吸収している。
【００２９】
なお、ヨーク１０の一部もフレーム１の背面に形成した凹部１ｄに収納し、また、フレーム１の前面側にも取付ネジ頭部収納用の凹部１ｅを形成し、この凹部１ｅのほぼ中央部に形成したネジ穴に取付ネジ１３を挿入し、この取付ネジ１３をヨーク底部１０ａに形成したネジ穴に螺設して磁気回路９を固定している。
【００３０】
特許文献１における従来例ではフレームは、前述のように、振動板の前面に設けられ、磁気回路取り付け用の第１のフレームと、ボイスコイル、ダンパ、振動板等の振動系を支持する第２のフレームの２部材からなり、しかも第１、第２のフレームはそれぞれ立体的な形状をなしていたため、厚みが生じていたが、本発明ではフレーム１を板状の一部材にし、その背面に磁気回路９を取り付け、ダンパ４を立体形状にし、その内周部に、長さ方向に複数設けられたボイスコイル８を設けた振動板５を取り付けるとともに、ダンパ４の外周側に前面に向かって延びる立ち上がり部４ｂを形成し、その前端部とガスケット２とによって振動板５の外周部５ａに設けたエッジ３を支持するようにし、一つのダンパ４によって複数のボイスコイル８により駆動される振動板５を支持するようにしている。
【００３１】
また、振動板５が前方へ振動した際、ヨーク１０の周壁後端部と接触しないよう振動板５の首部５ｃを後方に向って延びるテーパ状にし、逃げ部を形成し、振幅距離を確保している。
【００３２】
この逃げ部はテーパ状の形状に代え図６に示すように振動板５の底部５ｄを外側に延設し、平坦状の形状としても良い。
【００３３】
なお、その他図３において、符号ａ、ｂは錦糸線、ｃはボイスコイルのリード線、ｄは振動板の形状を表す線である。
【００３４】
動作にあたっては、複数個のボイスコイル８に音声信号を入力することによってボイスコイル８を介し振動板５が駆動される。この場合、ボイスコイル８は複数のため、一つの場合に比べ駆動力はアップする。なお、ボイスコイル８の引出線（図示せず）は振動板本体５ｂに沿って外周部側に引き出され、端子板（図示せず）に接続され、端子板を介し入力信号が加えられるが、これらの構造は本発明の要旨とは関係ないため、省略する。
【００３５】
振動板５が振動する場合、本発明では振動板５は複数個のボイスコイル８によって高い駆動力によって駆動することができるため、音圧を向上させることができる。また、従来のツインドライブタイプのスピーカではダンパも複数設けられていたが、本発明では振動板５を支持するダンパ４は一つのため、ダンパ変位のバラツキはない。
【００３６】
なお、上記実施例では、振動板５とエッジ３とは別体構造となっているが、一体構造としても良く、また、図示例ではフレーム１は矩形となっているが、長円形、トラック形状としても良い。このように具体的な構成は図示の実施形態に限られるものではなく、この発明の要旨を逸脱しない範囲の設計の変更等があっても、この発明に含まれる。
【図面の簡単な説明】
【００３７】
【図１】本発明の一実施例の側断面図を示す。
【図２】同上の実施例の正面図を示す。
【図３】同上の実施例の平面図を示す。
【図４】図３中Ａ−Ａ線断面図を示す。
【図５】図３中Ｂ−Ｂ線断面図を示す。
【図６】本発明の他の実施例の部分断面図を示す。
【図７】従来例の側断面図を示す。
【符号の説明】
【００３８】
１      フレーム
１ａ    取付孔
１ｂ    音孔
１ｃ    第１の凹部
１ｄ    ヨーク位置決め兼取り付け用凹部
１ｅ    取付ネジ頭部収納用の凹部
２      ガスケット
２ａ    ガスケット前端部
２ｂ    ガスケット後端部
３      エッジ
４      ダンパ
４ａ    ダンパ本体
４ｂ    立ち上がり部
４ｃ    ダンパ外周の折曲部
５      振動板
５ａ    振動板外周部
５ｂ    振動板本体
５ｃ    振動板の首部
５ｄ    振動板の底部
５ｅ    取付穴
６      第１、第２のボイスコイルボビン
７      防塵キャップ
８      ボイスコイル
９      磁気回路
１０    ヨーク
１０ａ  ヨーク底部
１０ｂ  ヨーク周壁
１１    マグネット
１２    ポール
１３    取付ネジ
１３ａ  頭部
【図１】
2006129106.tif 000003
【図２】
2006129106.tif 000004
【図３】
2006129106.tif 000005
【図４】
2006129106.tif 000006
【図５】
2006129106.tif 000007
【図６】
2006129106.tif 000008
【図７】
2006129106.tif 000009